(57)【要約】【課題】高品位映像データのクオリティを維持して記録や再生を可能とする。【解決手段】映像データ処理装置３０には、データ記録再生処理部３１-1，３１-2と制御部３２を設ける。データ記録再生処理部３１-1は、入力映像データを記録データに変換し、または再生データを出力映像データに変換する映像データインタフェース部３１１-1と、記録データを映像データインタフェース部３１１-1から記録装置４０-1に供給し、また記録装置４０-1から読み出した再生データを映像データインタフェース部３１１-1に供給するプロセッサ３１３-1と、記録データおよび再生データの供給のためのバス３１２-1，３１４-1とを用いて構成する。映像データインタフェース部３１１-2も同様に構成する。制御部３２は、データ記録再生処理部３１-1，３１-2のプロセッサを制御して、複数系統の映像データの記録および／または再生を同時に行う。【選択図】        図１
2008294579.tif 000002
【特許請求の範囲】
【請求項１】
記録装置を用いて映像データの記録再生を行う映像データ処理装置において、
複数のデータ記録再生処理部と、
前記データ記録再生処理部の動作を制御する制御部を設け、
前記データ記録再生処理部は、
入力映像データを前記記録装置に記録する記録データに変換し、または前記記録装置から読み出した再生データを出力映像データに変換する映像データインタフェース部と、
前記記録データおよび前記再生データを伝送するためのバスと、
前記記録データを前記映像データインタフェース部から前記バスを用いて前記記録装置に供給し、また前記再生データを前記記録装置から前記バスを用いて前記映像データインタフェース部に供給するプロセッサを用いて構成し、
前記制御部は、前記データ記録再生処理部のプロセッサを制御して、複数系統の映像データの記録および／または再生を同時に行う
ことを特徴とする映像データ処理装置。
【請求項２】
前記複数のデータ記録再生処理部のプロセッサは、プロセッサ間で同期を確立して、前記複数系統の映像データの記録または再生を並列して行う
ことを特徴とする請求項１記載の映像データ処理装置。
【請求項３】
前記制御部は、前記複数のデータ記録再生処理部における１つのプロセッサをマスターモードとして他のプロセッサをスレーブモードに設定して、該マスターモードのプロセッサで前記スレーブモードのプロセッサを制御することにより、プロセッサ間で同期を確立させる
ことを特徴とする請求項２記載の映像データ処理装置。
【請求項４】
前記映像データインタフェース部は、前記入力映像データに対して必要に応じて符号化処理を行い前記記録データに変換し、または前記記録装置から読み出した前記再生データに対して必要に応じて復号化処理を行い前記出力映像データに変換する
ことを特徴とする請求項２記載の映像データ処理装置。
【請求項５】
前記複数のデータ記録再生処理部のプロセッサは、互いに独立して動作を行い、複数系統の映像データの記録および／または再生を同時に行う
ことを特徴とする請求項１記載の映像データ処理装置。
【請求項６】
前記制御部は、前記複数のデータ記録再生処理部におけるプロセッサをマスターモードまたはインデペンデントモードに設定することで、互いに独立して動作を行わせる
ことを特徴とする請求項３記載の映像データ処理装置。
【発明の詳細な説明】
【技術分野】
【０００１】
この発明は、映像データ処理装置に関する。詳しくは、複数のプロセッサを並列に動作させて映像データの記録や再生を行うものである。
【背景技術】
【０００２】
記録装置に映像を記録したり、記録装置に記録されている映像を再生して表示装置に表示させる場合、単一のプロセッサを用いて記録装置に対する映像データの供給や記録装置からの映像データの読み出しが行われている。また、高解像度(ＨＤ:High Definition)映像を記録装置に記録する場合でも、ＭＰＥＧ等の画像圧縮技術を使用することで映像データのビットレートを抑えることが可能であり、高解像度映像であっても単一のプロセッサで映像の記録や再生が可能とされている。
【０００３】
しかし、近年、ディジタル放送や次世代光ディスクに代表されるように、ＨＤ映像をリアルタイムに処理したり、記録再生するケースが増加している。また、映像データの高フレームレート化や多ビット化も図られている。このようにＨＤ映像の処理や高フレームレート化および多ビット化が図られると、映像データのビットレートが大幅に増加することからプロセッサの負荷が大幅に増加する。
【０００４】
このため、特許文献１のように、プロセッサを並列に複数設けて負荷を分散させた並列プロセッサ装置が提案されている。この並列プロセッサ装置では、共通の信号伝送路（以下「バス」という）に複数のプロセッサを並列に接続して、映像データインタフェース部から転送されるデータが１つのプロセッサでは処理しきれない場合、負荷を複数のプロセッサに分散させることで装置全体の処理能力を確保することが開示されている。
【０００５】
【特許文献１】特開平８−２５５１４２号公報
【発明の開示】
【発明が解決しようとする課題】
【０００６】
ところで、各プロセッサがバスを共有するように構成されている場合、プロセッサの数を増やしても、バスの帯域で処理できる映像データのビットレートが制限されてしまう。また、バスの使用率を考慮すると、映像データで用いる帯域はバスの帯域の半分以下程度であることが望ましい。このため、例えば映像データで数百Ｍｂｐｓ以上の帯域が必要となると、ＰＣＩバス(Peripheral Components Interconnect bus)では帯域不足になる可能性がある。また、バスが複数の信号で共有される場合、実効帯域が一層狭くなってしまうため帯域不足になる可能性はさらに高まる。
【０００７】
また、映像データで用いる帯域を抑えるために画像圧縮を行い、この画像圧縮における圧縮率を高くすれば映像データのビットレートを抑えることができる。しかし、圧縮率を高めるとクオリティが劣化したものとなり、高品位映像データが本来備えるクオリティを維持することができなくなってしまう。
【０００８】
そこで、この発明はこのような点を鑑みてなされたものであり、高品位映像データのクオリティを維持して記録や再生を可能とする映像データ処理装置を提供するものである。
【課題を解決するための手段】
【０００９】
この発明の映像データ処理装置は、記録装置を用いて映像データの記録再生を行う映像データ処理装置において、複数のデータ記録再生処理部と、前記データ記録再生処理部の動作を制御する制御部を設け、前記データ記録再生処理部は、入力映像データを前記記録装置に記録する記録データに変換し、または前記記録装置から読み出した再生データを出力映像データに変換する映像データインタフェース部と、前記記録データおよび前記再生データを伝送するためのバスと、前記記録データを前記映像データインタフェース部から前記バスを用いて前記記録装置に供給し、また前記再生データを前記記録装置から前記バスを用いて前記映像データインタフェース部に供給するプロセッサを用いて構成し、前記制御部は、前記データ記録再生処理部のプロセッサを制御して、複数系統の映像データの記録および／または再生を同時に行うものである。
【発明の効果】
【００１０】
この発明によれば、複数のデータ記録再生処理部のプロセッサを制御して、複数系統の映像データの記録および／または再生が同時に行われる。このため、高解像度や高フレームレート，多ビットといった高品位映像データを、そのクオリティを維持したまま記録再生することができる。
【発明を実施するための最良の形態】
【００１１】
以下、図を参照しながら、この発明の実施の一形態について説明する。図１は映像データ処理システムの構成を示している。
【００１２】
映像データ処理システム１０の映像信号源２０は、映像データを出力する機器であり例えばビデオカメラやＤＶＤレコーダ、チューナ等が映像信号源２０に相当する。また、映像信号源２０は、映像コンテンツを例えばフレーム単位で順次振り分けて、複数系統の映像データとして出力する機能を有していても良い。
【００１３】
映像データ処理装置３０は、映像信号源２０から出力された複数系統の映像データを、系統毎に記録再生するためデータ記録再生処理部、およびデータ記録再生処理部の動作を制御する制御部を有している。
【００１４】
ここで、映像信号源２０は、例えば２系統の映像データＤＶwc-1，ＤＶwc-2の出力を行い、映像データ処理装置３０には、２つのデータ記録再生処理部３１-1，３１-2を設けてこのデータ記録再生処理部３１-1，３１-2の動作を制御部３２で制御するものとして以下の説明を行う。
【００１５】
映像信号源２０から出力された映像データＤＶwc-1は、データ記録再生処理部３１-1の映像データインタフェース部３１１-1に供給される。映像データインタフェース部３１１-1は、入力映像データである映像データＤＶwc-1を後述する記録装置４０-1に記録する記録データＤＷ-1に変換する。また、映像データインタフェース部３１１-1は、記録装置４０-1から読み出された再生データＤＲ-1を、映像データインタフェース部３１１-1に接続可能とされている映像表示装置５０に対応したフォーマットの出力映像データである映像データＤＶrc-1に変換する。
【００１６】
図２は、映像データインタフェース部３１１-1の構成を示している。映像データインタフェース部３１１-1のデータ処理部３１１aは、映像データＤＶwc-1が種々のフォーマットで供給されても、映像データＤＶwc-1を記録することができるように、映像データＤＶwc-1を所定フォーマットのデータに変換する。例えば、映像データＤＶwc-1として三原色データが供給されたとき、この三原色データを輝度データと色差データに変換してコーデック部３１１bに供給する。また、コーデック部３１１bから供給されたデータを映像表示装置５０に対応したフォーマットの映像データに変換する。例えば、コーデック部３１１bから供給された輝度データと色差データを三原色データ等に変換して出力する。
【００１７】
コーデック部３１１bは、輝度データと色差データの符号化処理を行い記録データＤＷ-1に変換する。ここで、映像信号源２０から、映像コンテンツをフレーム単位で順次振り分けて、複数系統の映像データとして出力される場合、各映像データでは、映像が非連続となる。したがって、符号化処理としてフレーム内符号化処理を用いることで、符号化処理後のクオリティを容易に維持できる。また、コーデック部３１１bは、再生データＤＲ-1に対して復号化処理を行い輝度データと色差データに変換する。
【００１８】
なお、映像データインタフェース部３１１-1は、ディジタル信号の入出力に限られるものではなく、Ａ／Ｄ変換機能を設けてアナログの映像信号の記録や、Ｄ／Ａ変換機能を設けてアナログの映像信号の出力を行えるようにしてもよい。また、映像データインタフェース部３１１-1は、符号化処理や復号化処理を必要に応じて行うものとしてもよい。例えば、後述するバス３１２-1の帯域が不足しておらず記録装置４０-1の空き容量も十分であるときは、非圧縮ＲＡＷデータ等の映像データをそのまま記録する。また、バスの帯域が不足するときや記録装置の空き容量が十分でないときは、符号化処理を行うものとする。さらに、記録装置４０-1から読み出した再生データＤＲ-1が符号化処理されたデータであるときは、復号化処理を行うものとする。このように、符号化処理や復号化処理を必要に応じて行うものとすれば、映像をできるだけ高画質の状態で記録装置に記録できるようになる。
【００１９】
図１に示すように、映像データインタフェース部３１１-1はバス３１２-1を介して第１プロセッサ３１３-1と接続されており、第１プロセッサ３１３-1はバス３１４-1を介して記録装置インタフェース部３１５-1と接続されている。
【００２０】
第１プロセッサ３１３-1は、バス３１２-1を介して映像データインタフェース部３１１-1から記録データＤＷ-1を読み出して、この読み出した記録データＤＷ-1を、バス３１４-1を介して記録装置インタフェース部３１５-1に供給する。また、第１プロセッサ３１３-1は、バス３１４-1を介して記録装置インタフェース部３１５-1から再生データＤＲ-1を読み出して、この読み出した再生データＤＲ-1を、バス３１２-1を介して映像データインタフェース部３１１-1に供給する。
【００２１】
データ記録再生処理部３１-1の記録装置インタフェース部３１５-1には、記録装置４０-1が接続されている。記録装置インタフェース部３１５-1は、バス３１４-1を介して第１プロセッサ３１３-1から供給された記録データＤＷ-1を記録装置４０-1に対応した記録信号として記録装置４０-1に供給する。また、記録装置４０-1から読み出された読出信号を処理して再生データＤＲ-1を生成する。
【００２２】
記録装置４０-1は、光ディスクや磁気ディスク、半導体メモリ等の記録媒体を用いて構成されており、供給された信号を記録媒体に記録する処理や、記録されている信号を読み出して出力する処理を行う。
【００２３】
データ記録再生処理部３１-2は、データ記録再生処理部３１-1と同様に構成されており、映像信号源２０から出力された映像データＤＶwc-2を記録データＤＷ-2に変換して記録装置４０-2に記録する処理や、記録装置４０-2から読み出された再生データＤＲ-2を映像データＤＶrc-2に変換して出力する処理を行う。
【００２４】
制御部３２は第１プロセッサ３１３-1や第２プロセッサ３１３-2とユーザインタフェース部３３が接続されている。ユーザインタフェース部３３はユーザ操作に応じた操作信号ＰＳを制御部３２に供給する。制御部３２は操作信号ＰＳに基づき制御信号ＣＴを生成して、この制御信号ＣＴを第１プロセッサ３１３-1や第２プロセッサ３１３-2に供給してプロセッサ間の同期を確立して複数のプロセッサの並列動作を行わせて、２系統の映像データＤＶwc-1，ＤＶwc-2の記録や、２系統の映像データＤＶrc-1，ＤＶrc-2の再生を行う。この制御部３２は、制御信号ＣＴとして映像信号源からの映像を記録装置に記録するのか、または記録装置に記録されている映像を再生して映像表示装置に表示させるのかを指定するコマンドや必要なオプションの送信が行われる。またデータ記録再生部の動作状況のモニタや記録装置の記録容量や記録されている映像データやデータ量の確認等も可能とする。なお、制御部３２としては、例えばパーソナルコンピュータ等を制御端末として用いるものとしてもよい。
【００２５】
映像表示装置５０は、液晶表示素子や有機ＥＬ等の表示デバイスを用いて構成されており、映像データ処理装置３０の映像データインタフェース部３１１-1，３１１-2から供給された映像データＤＶrc-1，ＤＶrc-2を用いてコンテンツの映像表示を行う。
【００２６】
また、映像データ処理装置において、各プロセッサに接続されるバスとして例えばＰＣＩ(Peripheral Component Interconnect)バスを用いるものとする。この場合、ＰＣＩバスのクロック周波数が６６ＭＨｚでビット幅が６４ビットであり、映像データインタフェース部および記録装置インタフェース部のクロック周波数が６６ＭＨｚでビット幅が３２ビットとすると、各プロセッサは接続を確立する前のネゴシエーションの段階でこれを検知し実際の転送帯域を決定する。
【００２７】
次に、複数プロセッサ協調動作、すなわち第１プロセッサ３１３-1と第２プロセッサ３１３-2間の同期を確立して並列動作を行わせる場合における映像データの記録動作について説明する。図３は記録動作を示すフローチャートである。
【００２８】
ステップＳＴ１で制御部３２はデータ記録再生処理部３１-1，３１-2を起動させてステップＳＴ２に進む。
【００２９】
ステップＳＴ２で制御部３２は、第１プロセッサ３１３-1がマスターモードに設定されているか否かを判別する。制御部３２は、第１プロセッサ３１３-1がマスターモードに設定されていないときはステップＳＴ３に進む。また、第１プロセッサ３１３-1がマスターモードに設定されているときはステップＳＴ４に進む。なお、マスターモードとは、制御部３２から供給されたコマンドの実行と、このコマンドをスレーブモードのプロセッサに送信する動作モードである。
【００３０】
ステップＳＴ３で制御部３２は、第１プロセッサ３１３-1をマスターモードに設定してステップＳＴ４に進む。
【００３１】
ステップＳＴ４で制御部３２は、第２プロセッサ３１３-2がスレーブモードに設定が完了しているか否かを判別する。制御部３２は、第２プロセッサ３１３-2がスレーブモードに設定されていないときはステップＳＴ５に進む。また、第２プロセッサ３１３-2がスレーブモードに設定されているときはステップＳＴ６に進む。なお、スレーブモードとは、マスターモードのプロセッサから供給されたコマンドを実行する動作モードである。
【００３２】
ステップＳＴ５で制御部３２は、第２プロセッサ３１３-2をスレーブモードに設定してステップＳＴ６に進む。
【００３３】
ステップＳＴ６で制御部３２は、記録開始指示を行う。この記録開始指示において、制御部３２は、記録パラメータとして映像データのファイル名や記録日時、映像記録品質等を設定して、この記録パラメータをマスターモードに設定されている第１プロセッサ３１３-1に供給する。さらに、記録開始コマンドを第１プロセッサ３１３-1に供給して、映像信号源２０から供給された映像を記録装置に記録させる指示を行いステップＳＴ７に進む。
【００３４】
ステップＳＴ７で第１プロセッサ３１３-1は記録準備を行う。マスターモードに設定されている第１プロセッサ３１３-1は、記録パラメータと映像信号源２０から供給された映像を記録装置に記録する準備を行う。また、スレーブモードに設定されている第２プロセッサ３１３-2に記録パラメータと記録開始コマンドを送信する。さらに、第２プロセッサ３１３-2から記録準備完了通知が供給されるまで待機する。
【００３５】
ステップＳＴ８で第２プロセッサは記録準備を行う。スレーブモードに設定されている第２プロセッサ３１３-2は、記録パラメータと映像信号源２０から供給された映像を記録装置に記録する準備を行い、記録準備が完了したとき第１プロセッサ３１３-1に対して記録準備完了通知を行う。
【００３６】
ステップＳＴ９で第１プロセッサ３１３-1と第２プロセッサ３１３-2は記録動作を開始する。すなわち、第１プロセッサ３１３-1と第２プロセッサ３１３-2は、記録パラメータと映像信号源２０から供給された映像を記録装置に記録する処理を開始する。
【００３７】
ここで、映像信号源２０は、フレームレートが２４０フレーム／秒とされている映像データをフレーム単位で交互に振り分けて、１２０フレーム／秒のフレームレートである２系統の映像データＤＶwc-1，ＤＶwc-2を映像データ処理装置３０に供給するものとして説明を行う。
【００３８】
データ記録再生処理部３１-1の映像データインタフェース部３１１-1は、映像データＤＶwc-1を第１プロセッサ３１３-1が取り扱えるフォーマットに変換して記録データＤＷ-1を生成する。また、映像データインタフェース部３１１-1は、バス３１２-1，３１４-1の転送帯域よりもデータ量が少なくなるように記録データＤＷ-1の生成を行う。第１プロセッサ３１３-1は、記録パラメータや映像データインタフェース部３１１-1で生成された記録データＤＷ-1を記録装置インタフェース部３１５-1に供給して、記録装置４０-1に映像を記録させる。
【００３９】
データ記録再生処理部３１-2もデータ記録再生処理部３１-1と同様な処理をデータ記録再生処理部３１-1と同期して行い、記録パラメータや映像データインタフェース部３１１-2で映像データＤＶwc-2に基づいて生成された記録データＤＷ-2を記録装置４０-2に記録させる。
【００４０】
ステップＳＴ１０で制御部３２は、映像データの記録終了操作が行われたか否かを判別する。制御部３２は、例えばユーザインタフェース部３３からの操作信号ＰＳによって記録終了操作が行われたと判別したときステップＳＴ１１に進む。また記録終了操作が行われたと判別されないときはステップＳＴ１０に戻る。
【００４１】
ステップＳＴ１１で制御部３２は、記録終了指示を行う。制御部３２は、記録終了コマンドをマスターモードに設定されている第１プロセッサ３１３-1に供給して、映像データの記録を停止させる指示を行いステップＳＴ１２に進む。
【００４２】
ステップＳＴ１２で第１プロセッサ３１３-1と第２プロセッサ３１３-2は映像データの記録動作を終了する。ここで、第１プロセッサ３１３-1は、記録終了コマンドを第２プロセッサ３１３-2に供給して、第２プロセッサ３１３-2の記録動作を終了させる。
【００４３】
ステップＳＴ１３で制御部３２は、引き続き映像データの記録を行うかを判別する。制御部３２は、例えば操作信号ＰＳによって引き続き映像データの記録を行う旨の通知がなされたときステップＳＴ６に戻り、ステップＳＴ６からの処理を繰り返すことで、新たに映像データの記録を行う。また、制御部３２は、引き続き映像データの記録を行わない旨の通知がなされたときステップＳＴ１４に進む。
【００４４】
ステップＳＴ１４で制御部３２は終了処理を行い、データ記録再生処理部３１-1，３１-2の動作を終了させる。制御部３２は、動作終了コマンドをマスターモードに設定されている第１プロセッサ３１３-1に供給する。第１プロセッサ３１３-1は、供給された動作終了コマンドをスレーブモードに設定されている第２プロセッサ３１３-2に供給したのち動作を終了する。また、第２プロセッサ３１３-2は、第１プロセッサ３１３-1から供給された動作終了コマンドに基づき動作を終了する。
【００４５】
このように記録動作を行うものとすれば、複数のデータ記録再生処理部は同期して動作することとなり、映像信号源２０から供給された複数系統に分割されている映像データを、各系統の記録装置に記録させることができる。また、各系統ではバスを共有していないことから、映像データのフレームレートが高い場合であっても、また広帯域のバスや高性能のプロセッサを用いなくとも、映像を記録装置に記録できる。
【００４６】
次に、記録された映像データの再生動作について図４のフローチャートを用いて説明する。
【００４７】
ステップＳＴ２１で制御部３２はデータ記録再生処理部３１-1，３１-2を起動させてステップＳＴ２２に進む。
【００４８】
ステップＳＴ２２で制御部３２は、第１プロセッサ３１３-1がマスターモードに設定されているか否かを判別する。制御部３２は、第１プロセッサ３１３-1がマスターモードに設定されていないときはステップＳＴ２３に進む。また、第１プロセッサ３１３-1がマスターモードに設定されているときはステップＳＴ２４に進む。
【００４９】
ステップＳＴ２３で制御部３２は、第１プロセッサ３１３-1をマスターモードに設定してステップＳＴ２４に進む。
【００５０】
ステップＳＴ２４で制御部３２は、第２プロセッサ３１３-2がスレーブモードに設定が完了しているか否かを判別する。制御部３２は、第２プロセッサ３１３-2がスレーブモードに設定されていないときはステップＳＴ２５に進む。また、第２プロセッサ３１３-2がスレーブモードに設定されているときはステップＳＴ２６に進む。
【００５１】
ステップＳＴ２５で制御部３２は、第２プロセッサ３１３-2をスレーブモードに設定してステップＳＴ２６に進む。
【００５２】
ステップＳＴ２６で制御部３２は、再生開始指示を行う。この再生開始指示において、制御部３２は、再生パラメータとして映像データのファイル名等を設定して、この再生パラメータをマスターモードに設定されている第１プロセッサ３１３-1に供給する。さらに、再生開始コマンドを第１プロセッサ３１３-1に供給して、記録装置に記録されている映像を読み出して映像データインタフェース部から出力させる指示を行いステップＳＴ２７に進む。
【００５３】
ステップＳＴ２７で第１プロセッサ３１３-1は再生準備を行う。マスターモードに設定されている第１プロセッサ３１３-1は、再生パラメータで示された映像データを記録装置４０-1から読み出す準備を行う。また、スレーブモードに設定されている第２プロセッサ３１３-2に再生パラメータと再生開始コマンドを送信する。さらに、第２プロセッサ３１３-2から再生準備完了通知が供給されるまで待機する。
【００５４】
ステップＳＴ２８で第２プロセッサは再生準備を行う。スレーブモードに設定されている第２プロセッサ３１３-2は、再生パラメータで示された映像を記録装置４０-2から読み出す準備を行い、再生準備が完了したとき第１プロセッサ３１３-1に対して再生準備完了通知を行う。
【００５５】
ステップＳＴ２９でマスターモードのプロセッサとスレーブモードのプロセッサは、再生動作を開始する。すなわち、第１プロセッサ３１３-1と第２プロセッサ３１３-2は、再生パラメータで示された映像を記録装置から読み出す処理を開始する。
【００５６】
データ記録再生処理部３１-1の第１プロセッサ３１３-1は、再生パラメータで示された映像の読み出しを行い、記録装置４０-1から読み出された再生データＤＲ-1を映像データインタフェース部３１１-1に供給する。映像データインタフェース部３１１-1は、再生データＤＲ-1の復号化処理、および映像データインタフェース部３１１-1に接続可能とされている映像表示装置５０に対応したフォーマットへの変換を行い、映像データＤＶrc-1を生成して出力する。
【００５７】
データ記録再生処理部３１-2もデータ記録再生処理部３１-1と同様な処理をデータ記録再生処理部３１-1と同期して行い、再生パラメータで示された映像の読み出しを行い、映像データインタフェース部３１１-2から映像データＤＶrc-2を出力させる。
【００５８】
ここで、ステップＳＴ９の処理を行うことにより記録装置４０-1，４０-2に記録された映像を再生する場合、映像データＤＶrc-1，ＤＶrc-2は、１２０フレーム／秒のフレームレートであり、映像がフレーム単位で交互に振り分けられたものとなる。したがって、映像データＤＶrc-1，ＤＶrc-2を用いて映像表示を行うものとすれば、２４０フレーム／秒のフレームレートで映像表示を行うことができる。
【００５９】
ステップＳＴ３０で制御部３２は、映像データの再生終了操作が行われたか否かを判別する。制御部３２は、例えばユーザインタフェース部３３からの操作信号ＰＳによって再生終了操作が行われたと判別したときステップＳＴ３１に進む。また再生終了操作が行われたと判別されないときはステップＳＴ３０に戻る。
【００６０】
ステップＳＴ３１で制御部３２は、再生終了指示を行う。制御部３２は、再生終了コマンドをマスターモードに設定されている第１プロセッサ３１３-1に供給して、映像データの再生を停止させる指示を行いステップＳＴ３２に進む。
【００６１】
ステップＳＴ３２で第１プロセッサ３１３-1と第２プロセッサ３１３-2は映像データの再生動作を終了する。ここで、第１プロセッサ３１３-1は、再生終了コマンドを第２プロセッサ３１３-2に供給して、第２プロセッサ３１３-2の再生動作を終了させる。
【００６２】
ステップＳＴ３３で制御部３２は、引き続き映像データの再生を行うかを判別する。制御部３２は、例えば操作信号ＰＳによって引き続き映像データの再生を行う旨の通知がなされたときステップＳＴ２６に戻り、ステップＳＴ２６からの処理を繰り返すことで、新たに映像データの再生を行う。また、制御部３２は、引き続き映像データの再生を行わない旨の通知がなされたときステップＳＴ３４に進む。
【００６３】
ステップＳＴ３４で制御部３２は終了処理を行い、データ記録再生処理部３１-1，３１-2の動作を終了させる。制御部３２は、動作終了コマンドをマスターモードに設定されている第１プロセッサ３１３-1に供給する。第１プロセッサ３１３-1は、供給された動作終了コマンドをスレーブモードに設定されている第２プロセッサ３１３-2に供給したのち動作を終了する。また、第２プロセッサ３１３-2は、第１プロセッサ３１３-1から供給された動作終了コマンドに基づき動作を終了する。
【００６４】
このように再生動作を行うものとすれば、複数のデータ記録再生処理部は同期して動作することとなり、複数の記録装置に分割して記録された映像を正しく再生することができる。また、各系統ではバスを共有していないことから、映像データのフレームレートが高い場合であっても、広帯域のバスや高性能のプロセッサを用いることなく、記録装置に記録されている映像を再生できる。
【００６５】
なお、上述の実施の形態では、複数のプロセッサをデイジチェーン接続して、マスタースレーブ方式で制御部が複数のプロセッサを制御することにより、第１プロセッサ３１３-1と第２プロセッサ３１３-2間の同期を確立して並列動作を行わせて、２系統の映像データＤＶwc-1，ＤＶwc-2の記録や、２系統の映像データＤＶrc-1，ＤＶrc-2の再生を行う場合について説明したが、複数のプロセッサの接続は、各プロセッサが同期して動作できるものであれば上述の実施の形態に限られるものではない。例えば、制御部に複数のプロセッサをスター接続して、各プロセッサに記録開始コマンドや記録終了コマンドを同時に供給して、各プロセッサ間の同期を確立して複数系統の映像データの記録再生を並列に行わせるものとしてもよい。
【００６６】
また、上述の実施の形態では、映像コンテンツを例えばフレーム単位で順次振り分けて生成された複数系統の映像データが映像信号源２０から供給されるものとしたが、データ記録再生処理部３１-1，３１-2の入力側に、フレーム単位で映像データをデータ記録再生処理部３１-1とデータ記録再生処理部３１-2に振り分ける映像分配部を設け、１つの高品位の映像データが映像データ処理装置３０に入力されたとき、映像データ処理装置３０の内部で映像データＤＶwc-1，ＤＶwc-2を生成できるようにしてもよい。また、データ記録再生処理部３１-1，３１-2の出力側に、２つの映像データＤＶrc-1，ＤＶrc-2をフレーム単位で合成する映像分配部を設け、２つの映像データＤＶrc-1，ＤＶrc-2を１つの映像データとして映像データ処理装置３０から出力するようにしてもよい。
【００６７】
ところで、上述の映像データ処理システムは、映像コンテンツの映像データを複数系統に分割して記録再生する場合について説明したが、映像の記録再生は映像コンテンツを複数系統に分割して行う場合に限られるものではない。例えば、映像データ処理システムでは、複数の異なる映像コンテンツの映像データを同時に記録再生するものとしてもよい。
【００６８】
図５は、映像データ処理システムの他の構成として、複数の異なる映像コンテンツの映像データを同時に記録再生する場合を示している。なお、図５において、図１と対応する部分については同一符号を付し、詳細な説明は省略する。
【００６９】
映像信号源２１，２２は、それぞれ独立した映像コンテンツの映像データＤＶw1，ＤＶw2を出力する。例えば映像信号源２１としてビデオカメラ、映像信号源２２としてチューナを用いて、映像信号源２１から撮影画像の映像データＤＶw1、映像信号源２２から映像データＤＶw1とは異なる映像データＤＶw2を出力する。
【００７０】
映像信号源２１から出力された映像データＤＶw1は、映像データ処理装置３０の映像データインタフェース部３１１-1に供給される。映像データインタフェース部３１１-1は、映像データＤＶw1に基づき記録データＤＷ1を生成する。第１プロセッサ３１３-1は、映像データインタフェース部３１１-1で生成された記録データＤＷ1を記録装置４１に記録させる。また、記録装置４１に記録されている映像の再生を行う場合、第１プロセッサ３１３-1は、記録装置４１に記録されている映像の読み出しを行い、得られた再生データＤＲ1を映像データインタフェース部３１１-1に供給する。映像データインタフェース部３１１-1は、供給された再生データＤＲ1の復号化処理等を行い映像データＤＶr1として映像表示装置５１に供給する。
【００７１】
映像信号源２２から出力された映像データＤＶw2は、データ記録再生処理部３１-2の映像データインタフェース部３１１-2に供給される。映像データインタフェース部３１１-2は、映像データＤＶw2に基づき記録データＤＷ2を生成する。第２プロセッサ３１３-2は、映像データインタフェース部３１１-2で生成された記録データＤＷ2を記録装置４２に記録させる。また、記録装置４２に記録されている映像の再生を行う場合、第２プロセッサ３１３-2は、記録装置４２に記録されている映像の読み出しを行い、得られた再生データＤＲ2を映像データインタフェース部３１１-2に供給する。映像データインタフェース部３１１-2は、供給された再生データＤＲ2の復号化処理等を行い映像データＤＶr2として映像表示装置５２に供給する。
【００７２】
ここで、映像データインタフェース部３１１-1，３１１-2には、独立した映像コンテンツの映像データを供給することから、映像データインタフェース部３１１-1，３１１-2では、フレーム内符号化処理だけでなく、フレーム間符号化処理を用いるものとしてもよい。
【００７３】
制御部３２は、操作信号ＰＳに基づき制御信号ＣＴを生成して、この制御信号ＣＴを第１プロセッサ３１３-1や第２プロセッサ３１３-2に供給して、複数のプロセッサを独立に動作させて映像データの記録再生を行う。映像表示装置５１は、映像データインタフェース部３１１-1から供給された映像データＤＶr1に基づき映像表示を行う。また、映像表示装置５２は、映像データインタフェース部３１１-2から供給された映像データＤＶr2に基づき映像表示を行う。
【００７４】
このようにすれば、複数のプロセッサ間で同期を確立して並列動作させて、１つの高品位映像データを複数系統の映像データとして記録再生する機能と、各プロセッサを互いに独立して動作させて、複数系統の映像データとしての複数の異なる映像コンテンツの映像データを同時に記録および／または再生する機能を、同一のハードウェアで実現することができる。
【００７５】
次に、複数プロセッサ独立動作、すなわち第１プロセッサ３１３-1と第２プロセッサ３１３-2を独立して動作させる場合における映像データの記録動作について説明する。図６は記録動作を示すフローチャートである。
【００７６】
ステップＳＴ４１で制御部３２は、データ記録再生処理部３１-1，３１-2を起動させてステップＳＴ４２に進む。
【００７７】
ステップＳＴ４２で制御部３２は、第１プロセッサ３１３-1がマスターモードまたはインデペンデンスモードに設定されているか否かを判別する。なお、インデペンデンスモードとは、制御部３２から供給されたコマンドを実行し、このコマンドを他のプロセッサに送信する処理は行わない動作モードである。制御部３２は、第１プロセッサ３１３-1がマスターモードまたはインデペンデンスモードのいずれにも設定されていないときはステップＳＴ４３に進む。また、第１プロセッサ３１３-1がマスターモードまたはインデペンデンスモードのいずれかに設定されているときはステップＳＴ４４に進む。
【００７８】
ステップＳＴ４３で制御部３２はモード設定を行い、第１プロセッサ３１３-1をマスターモードまたはインデペンデンスモードのいずれかに設定してステップＳＴ４４に進む。
【００７９】
ステップＳＴ４４で制御部３２は、第２プロセッサ３１３-2がマスターモードまたはインデペンデンスモードに設定されているか否かを判別する。制御部３２は、第２プロセッサ３１３-2がマスターモードまたはインデペンデンスモードのいずれにも設定されていないときはステップＳＴ４５に進む。また、第２プロセッサ３１３-2がマスターモードまたはインデペンデンスモードのいずれかに設定されているときはステップＳＴ４６に進む。
【００８０】
ステップＳＴ４５で制御部３２はモード設定を行い、第２プロセッサ３１３-2をマスターモードまたはインデペンデンスモードのいずれかに設定してステップＳＴ４６に進む。
【００８１】
ステップＳＴ４６で制御部３２は、記録パラメータの設定を行う。制御部３２は、記録パラメータとして映像データのファイル名や記録日時，映像記録品質等を、映像データ毎に設定して、この記録パラメータを対応するプロセッサに供給する。すなわち、制御部３２は、映像データＤＶw1に関する記録パラメータを第１プロセッサ３１３-1、映像データＤＶw2に関する記録パラメータを第２プロセッサ３１３-2に供給してステップＳＴ４７に進む。
【００８２】
ステップＳＴ４７で制御部３２は、記録開始コマンドを発行する。すなわち、制御部３２は、第１プロセッサ３１３-1と第２プロセッサ３１３-2に記録開始コマンドを供給してステップＳＴ４８に進む。
【００８３】
ステップＳＴ４８で第１プロセッサ３１３-1と第２プロセッサ３１３-2は、記録パラメータと映像信号源２１，２２から供給された映像を記録装置に記録する処理を開始する。
【００８４】
すなわち、データ記録再生処理部３１-1の映像データインタフェース部３１１-1は、映像データＤＶw1を第１プロセッサ３１３-1が取り扱えるフォーマットに変換して記録データＤＷ1を生成する。また、映像データインタフェース部３１１-1は、バス３１２-1，３１４-1の転送帯域よりもデータ量が少なくなるように記録データＤＷ1の生成を行う。第１プロセッサ３１３-1は、記録パラメータや映像データインタフェース部３１１-1で生成された記録データＤＷ1を記録装置インタフェース部３１５-1に供給して、記録装置４１に記録させる。
【００８５】
データ記録再生処理部３１-2もデータ記録再生処理部３１-1と同様な処理を行い、記録パラメータや映像データインタフェース部３１１-2で映像データＤＶw2に基づいて生成された記録データＤＷ2を記録装置４２に記録させる。
【００８６】
ステップＳＴ４９で制御部３２は、映像データの記録終了操作が行われたか否かを判別する。制御部３２は、例えばユーザインタフェース部３３からの操作信号ＰＳによって記録終了操作が行われたと判別したときステップＳＴ５０に進む。また記録終了操作が行われたと判別されないときはステップＳＴ４９に戻る。
【００８７】
ステップＳＴ５０で制御部３２は、記録終了指示を行う。制御部３２は、記録終了コマンドを第１プロセッサ３１３-1と第２プロセッサ３１３-2に供給して、映像データの記録を停止させる指示を行いステップＳＴ５１に進む。
【００８８】
ステップＳＴ５１で第１プロセッサ３１３-1と第２プロセッサ３１３-2は映像データの記録動作を終了する。
【００８９】
ステップＳＴ５２で制御部３２は、引き続き映像データの記録を行うかを判別する。制御部３２は、例えば操作信号ＰＳによって引き続き映像データの記録を行う旨の通知がなされたときステップＳＴ４６に戻り、ステップＳＴ４６からの処理を繰り返すことで、新たに映像データの記録を行う。また、制御部３２は、引き続き映像データの記録を行わない旨の通知がなされたときステップＳＴ５３に進む。
【００９０】
ステップＳＴ５３で制御部３２は終了処理を行い、上述のようにデータ記録再生処理部３１-1，３１-2の動作を終了させる。
【００９１】
このように記録動作を行うものとすれば、複数のデータ記録再生処理部は独立して動作することとなり、映像信号源２１，２２から供給された異なる映像コンテンツを、各系統の記録装置に記録させることができる。このため、同時に記録する映像コンテンツが生じても、また広帯域のバスや高性能のプロセッサを用いなくとも、各映像コンテンツを記録装置に記録できる。
【００９２】
次に、記録された映像データの再生動作について図７のフローチャートを用いて説明する。
【００９３】
ステップＳＴ６１で制御部３２はデータ記録再生処理部３１-1，３１-2を起動させてステップＳＴ６２に進む。
【００９４】
ステップＳＴ６２で制御部３２は、第１プロセッサ３１３-1がマスターモードまたはインデペンデンスモードに設定されているか否かを判別する。制御部３２は、第１プロセッサ３１３-1がマスターモードまたはインデペンデンスモードのいずれにも設定されていないときはステップＳＴ６３に進む。また、第１プロセッサ３１３-1がマスターモードまたはインデペンデンスモードのいずれかに設定されているときはステップＳＴ６４に進む。
【００９５】
ステップＳＴ６３で制御部３２はモード設定を行い、第１プロセッサ３１３-1をマスターモードまたはインデペンデンスモードのいずれかに設定してステップＳＴ６４に進む。
【００９６】
ステップＳＴ６４で制御部３２は、第２プロセッサ３１３-2がマスターモードまたはインデペンデンスモードに設定されているか否かを判別する。制御部３２は、第２プロセッサ３１３-2がマスターモードまたはインデペンデンスモードのいずれにも設定されていないときはステップＳＴ６５に進む。また、第２プロセッサ３１３-2がマスターモードまたはインデペンデンスモードのいずれかに設定されているときはステップＳＴ６６に進む。
【００９７】
ステップＳＴ６５で制御部３２はモード設定を行い、第２プロセッサ３１３-2をマスターモードまたはインデペンデンスモードのいずれかに設定してステップＳＴ６６に進む。
【００９８】
ステップＳＴ６６で制御部３２は、再生パラメータの設定を行う。制御部３２は、再生パラメータとして映像データのファイル名等を設定して、この再生パラメータを対応するプロセッサに供給する。すなわち、制御部３２は、記録装置４１に記録されている映像に関する再生パラメータを第１プロセッサ３１３-1、記録装置４２に記録されている映像に関する映像に関する再生パラメータを第２プロセッサ３１３-2に供給してステップＳＴ６７に進む。
【００９９】
ステップＳＴ６７で制御部３２は、再生開始コマンドを発行する。すなわち、制御部３２は、第１プロセッサ３１３-1と第２プロセッサ３１３-2に再生開始コマンドを供給してステップＳＴ６８に進む。
【０１００】
ステップＳＴ６８で第１プロセッサ３１３-1と第２プロセッサ３１３-2は、再生パラメータで示された映像を記録装置から読み出す処理を開始する。
【０１０１】
データ記録再生処理部３１-1の第１プロセッサ３１３-1は、再生パラメータで示された映像の読み出しを行い、記録装置４０-1から読み出された再生データＤＲ-1を映像データインタフェース部３１１-1に供給する。映像データインタフェース部３１１-1は、再生データＤＲ-1の復号化処理、および映像データインタフェース部３１１-1に接続可能とされている映像表示装置５１に対応したフォーマットへの変換を行い、映像データＤＶr1を生成して出力する。
【０１０２】
データ記録再生処理部３１-2もデータ記録再生処理部３１-1と同様な処理をデータ記録再生処理部３１-1と同期して行い、再生パラメータで示された映像の読み出しを行い、映像データインタフェース部３１１-2から映像データＤＶr2を出力させる。したがって、複数の映像コンテンツを同時に再生することが可能となる。
【０１０３】
ステップＳＴ６９で制御部３２は、映像データの再生終了操作が行われたか否かを判別する。制御部３２は、例えばユーザインタフェース部３３からの操作信号ＰＳによって再生終了操作が行われたと判別したときステップＳＴ７０に進む。また再生終了操作が行われたと判別されないときはステップＳＴ６９に戻る。
【０１０４】
ステップＳＴ７０で制御部３２は、再生終了指示を行う。制御部３２は、再生終了コマンドを第１プロセッサ３１３-1と第２プロセッサ３１３-2に供給して、映像データの再生を停止させる指示を行いステップＳＴ７１に進む。
【０１０５】
ステップＳＴ７１で第１プロセッサ３１３-1と第２プロセッサ３１３-2は映像データの再生動作を終了する。
【０１０６】
ステップＳＴ７２で制御部３２は、引き続き映像データの再生を行うかを判別する。制御部３２は、例えば操作信号ＰＳによって引き続き映像データの再生を行う旨の通知がなされたときステップＳＴ６６に戻り、ステップＳＴ６６からの処理を繰り返すことで、新たに映像データの再生を行う。また、制御部３２は、引き続き映像データの再生を行わない旨の通知がなされたときステップＳＴ７３に進む。
【０１０７】
ステップＳＴ７３で制御部３２は、終了処理を行い、上述のようにデータ記録再生処理部３１-1，３１-2の動作を終了させる。
【０１０８】
このように再生動作を行うものとすれば、複数のデータ記録再生処理部は独立して動作することとなり、記録装置４１，４２に記録された映像を、映像表示装置５１，５２で個々に再生することができる。このため、広帯域のバスや高性能のプロセッサを用いなくとも、記録装置に個々に記録されている複数の映像を同時に再生できる。
【０１０９】
また、図６および図７では、複数の映像を同時に記録または同時に再生する場合について説明したが、一方のデータ記録再生部では記録動作、他方のデータ記録再生部では再生動作を行うものとすれば、広帯域のバスや高性能のプロセッサを用いなくとも、記録動作と再生動作を同時に行うことが可能となる。
【０１１０】
さらに、映像データが１系統で低ビットレートであるときには、複数のプロセッサを用いる必要がないことから、１つのプロセッサのみを動作させて映像の記録再生を行うものとしてもよい。
【０１１１】
図８は１つのプロセッサのみを動作させた記録動作を示すフローチャート、図９は１つのプロセッサのみを動作させた再生動作を示すフローチャートである。
【０１１２】
ステップＳＴ８１で制御部３２は、データ記録再生処理部３１-1，３１-2を起動させてステップＳＴ６２に進む。
【０１１３】
ステップＳＴ８２で制御部３２は、記録動作を行うプロセッサがマスターモードまたはインデペンデンスモードに設定されているか否かを判別する。制御部３２は、記録動作を行うプロセッサがマスターモードまたはインデペンデンスモードのいずれにも設定されていないときはステップＳＴ８３に進む。また、マスターモードまたはインデペンデンスモードのいずれかに設定されているときはステップＳＴ８４に進む。
【０１１４】
ステップＳＴ８３で制御部３２はモード設定を行い、プロセッサをマスターモードまたはインデペンデンスモードのいずれかに設定してステップＳＴ８４に進む。例えば、映像データＤＶw1を記録する場合、第１プロセッサ３１３-1がマスターモードまたはインデペンデンスモードのいずれにも設定されていないときは、第１プロセッサ３１３-1をマスターモードまたはインデペンデンスモードのいずれかに設定する。
【０１１５】
ステップＳＴ８４で制御部３２は、記録パラメータの設定を行う。制御部３２は、記録パラメータとして映像データのファイル名や記録日時，映像記録品質等を、映像データ毎に設定して、この記録パラメータをプロセッサに供給する。例えば、上述のように映像データＤＶw1を記録する場合、制御部３２は、映像データＤＶw1に関する記録パラメータを第１プロセッサ３１３-1に供給してステップＳＴ８５に進む。
【０１１６】
ステップＳＴ８５で制御部３２は、記録開始コマンドを発行する。すなわち、制御部３２は、第１プロセッサ３１３-1に記録開始コマンドを供給してステップＳＴ８６に進む。
【０１１７】
ステップＳＴ８６でプロセッサは、記録パラメータと映像信号源２１から供給された映像を記録装置に記録する処理を開始する。
【０１１８】
ステップＳＴ８７で制御部３２は、映像データの記録終了操作が行われたか否かを判別する。制御部３２は、記録終了操作が行われたと判別したときステップＳＴ８８に進む。また記録終了操作が行われたと判別されないときはステップＳＴ８７に戻る。
【０１１９】
ステップＳＴ８８で制御部３２は、記録終了指示を行う。制御部３２は、記録終了コマンドをプロセッサに供給して、映像データの記録を停止させる指示を行いステップＳＴ８９に進む。
【０１２０】
ステップＳＴ８９でプロセッサは映像データの記録動作を終了する。
【０１２１】
ステップＳＴ９０で制御部３２は、引き続き映像データの記録を行うかを判別する。制御部３２は、例えば操作信号ＰＳによって引き続き映像データの記録を行う旨の通知がなされたときステップＳＴ８４に戻り、ステップＳＴ８４からの処理を繰り返すことで、新たに映像データの記録を行う。また、制御部３２は、引き続き映像データの記録を行わない旨の通知がなされたときステップＳＴ９１に進む。
【０１２２】
ステップＳＴ９１で制御部３２は終了処理を行い、上述のようにデータ記録再生処理部３１-1，３１-2の動作を終了させる。
【０１２３】
再生動作を示すフローチャートのステップＳＴ１０１において、制御部３２はデータ記録再生処理部３１-1，３１-2を起動させてステップＳＴ１０２に進む。
【０１２４】
ステップＳＴ１０２で制御部３２は、再生動作を行うプロセッサがマスターモードまたはインデペンデンスモードに設定されているか否かを判別する。制御部３２は、記録動作を行うプロセッサがマスターモードまたはインデペンデンスモードのいずれにも設定されていないときはステップＳＴ１０３に進む。また、マスターモードまたはインデペンデンスモードのいずれかに設定されているときはステップＳＴ１０４に進む。
【０１２５】
ステップＳＴ１０３で制御部３２はモード設定を行い、プロセッサをマスターモードまたはインデペンデンスモードのいずれかに設定してステップＳＴ１０４に進む。
【０１２６】
ステップＳＴ１０４で制御部３２は、再生パラメータの設定を行う。ステップＳＴ１０５で制御部３２は、再生開始コマンドを発行する。ステップＳＴ１０６でプロセッサは、再生パラメータで示された映像を再生する処理を開始する。
【０１２７】
ステップＳＴ１０７で制御部３２は、映像データの再生終了操作が行われたか否かを判別する。制御部３２は、再生終了操作が行われたと判別したときステップＳＴ１０８に進む。また再生終了操作が行われたと判別されないときはステップＳＴ１０７に戻る。
【０１２８】
ステップＳＴ１０８で制御部３２は、再生終了指示を行う。制御部３２は、再生終了コマンドをプロセッサに供給して、映像データの再生を停止させる指示を行いステップＳＴ１０９に進む。
【０１２９】
ステップＳＴ１０９でプロセッサは映像データの再生動作を終了する。
【０１３０】
ステップＳＴ１１０で制御部３２は、引き続き映像データの記録を行うかを判別する。制御部３２は、例えば操作信号ＰＳによって引き続き映像データの記録を行う旨の通知がなされたときステップＳＴ１０４に戻り、ステップＳＴ１０４からの処理を繰り返すことで、新たに映像データの記録を行う。また、制御部３２は、引き続き映像データの記録を行わない旨の通知がなされたときステップＳＴ１１１に進む。
【０１３１】
ステップＳＴ１１１で制御部３２は終了処理を行い、上述のようにデータ記録再生処理部３１-1，３１-2の動作を終了させる。
【０１３２】
このようにして、記録再生動作を行うものとすれば、データ記録再生処理部が複数設けられていても、１つのプロセッサのみを動作させて映像の記録再生を行うことができる。また、１つのデータ記録再生処理部のみを動作させることで、データ記録再生処理部が複数設けられていても、消費電力を少なくできる。
【０１３３】
なお、上述の実施の形態では、構成および動作の理解を容易とするため、映像データ処理装置３０にデータ記録再生処理部を２つ設けた場合を示したが、データ記録再生処理部を３つ以上設けて、さらに多くの映像データを同時に記録再生するものとしてもよい。例えば、映像データインタフェース部で符号化を行う場合にクオリティを維持できるように圧縮率を低く設定したり、映像データの符号化を行わない場合でも、データ記録再生処理部の数を増やすことで、映像データ処理装置は、高品位映像データのクオリティを維持したままほぼリアルタイムに処理することが可能となる。
【０１３４】
また、データ記録再生処理部は構成が等しくされているので、例えばデータ記録再生処理部をモジュール化やカード化しておけば、入出力される映像のクオリティに応じてデータ記録再生処理部を容易に設置することが可能となり、ハードウェアの大幅な変更を招くことなく対応できる。また、複数のプロセッサに負荷を分散するための機能が不要となるため、回路規模の低減も達成できる。
【図面の簡単な説明】
【０１３５】
【図１】映像データ処理システムの構成を示す図である。
【図２】映像データインタフェース部の構成を示す図である。
【図３】記録動作（複数プロセッサ協調動作）を示すフローチャートである。
【図４】再生動作（複数プロセッサ協調動作）を示すフローチャートである。
【図５】映像データ処理システムの他の構成を示す図である。
【図６】記録動作（複数プロセッサ独立動作）を示すフローチャートである。
【図７】再生動作（複数プロセッサ独立動作）を示すフローチャートである。
【図８】記録動作（１つのプロセッサ動作）を示すフローチャートである。
【図９】再生動作（１つのプロセッサ動作）を示すフローチャートである。
【符号の説明】
【０１３６】
１０・・・映像データ処理システム、２０，２１，２２・・・映像信号源、３０・・・映像データ処理装置、３１-1，３１-2・・・データ記録再生処理部、３２・・・制御部、３３・・・ユーザインタフェース部、４０-1，４０-2，４１，４２・・・記録装置、５０，５１，５２・・・映像表示装置、３１１-1，３１１-2・・・映像データインタフェース部、３１１a・・・データ処理部、３１１b・・・コーデック部、３１２-1，３１２-2，３１４-1，３１４-2・・・バス、３１３-1・・・第１プロセッサ、３１３-2・・・第２プロセッサ、３１５-1，３１５-2・・・記録装置インタフェース部
【図１】
2008294579.tif 000003
【図２】
2008294579.tif 000004
【図３】
2008294579.tif 000005
【図４】
2008294579.tif 000006
【図５】
2008294579.tif 000007
【図６】
2008294579.tif 000008
【図７】
2008294579.tif 000009
【図８】
2008294579.tif 000010
【図９】
2008294579.tif 000011